(57)【要約】【課題】  ホット・キーの数を減少でき、配置スペースを縮小でき、使用にはっきり特別可能なホット・キー・セットを有する多用途ホット・キーを有するノートブック・タイプ・コンピュータを提供する。【解決手段】  表示パネルが配置されるカバーと、前記カバーに枢着されるプラット・ホームとを有するノートブック・タイプ・コンピュータにおいて、  前記プラット・ホームの内部に配置され、快速選択プログラムがインストールされるマザー・ボードと、前記プラット・ホームの上部に配置され、前記マザー・ボードとカップリング接続される入力キーボードと、前記プラット・ホームに配置されると共に、前記マザー・ボードとカップリング接続され、複数の選択制御キーと一つの実行制御キーとを有する多用途ホット・キーとを有する。【選択図】      図２
0003101912.tif 000002
【実用新案登録請求の範囲】
【請求項１】
表示パネルが配置されるカバーと、
前記カバーに枢着されるプラット・ホームとを有するノートブック・タイプ・コンピュータにおいて、
前記プラット・ホームの内部に配置され、快速選択プログラムがインストールされるマザー・ボードと、
前記プラット・ホームの上部に配置され、前記マザー・ボードとカップリング接続される入力キーボードと、
前記プラット・ホームに配置されると共に、前記マザー・ボードとカップリング接続され、複数の選択制御キーと一つの実行制御キーとを有する多用途ホット・キーとを有することを特徴とする多用途ホット・キーを有するノートブック・タイプ・コンピュータ。
【請求項２】
前記多用途ホット・キーの下方に配置される複数の指示灯をさらに有し、それらによって多用途ホット・キーの操作状態を表示することを特徴とする請求項１に記載の多用途ホット・キーを有するノートブック・タイプ・コンピュータ。
【請求項３】
前記多用途ホット・キーが前記快速選択プログラムを起動でき、且つ表示パネルに快速選択メニューを表示でき、且つその中のある選択制御キーによって前記快速選択メニューにおける項目を選択でき、且つ前記実行制御キーによって快速選択メニューにおける項目を実行できることを特徴とする請求項１に記載の多用途ホット・キーを有するノートブック・タイプ・コンピュータ。
【請求項４】
前記多用途ホット・キーによってスクリーン明るさ調整プログラムとボリューム調整プログラムと対比色調整プログラムと睡眠プログラムとを起動でき、且つその中のある選択制御キーによってスクリーンの明るさとボリュームの大きさと対比色とを調整できることを特徴とする請求項１に記載の多用途ホット・キーを有するノートブック・タイプ・コンピュータ。
【請求項５】
表示パネルを有するノートブック・タイプ・コンピュータに配置される多用途ホット・キーにおいて、
複数の選択制御キーと、
一つの実行制御キーとを有することを特徴とする多用途ホット・キー。
【請求項６】
前記選択制御キーには、上へ移動する信号を発行する第一選択制御キーと、右へ移動する信号を発行する第二選択制御キーと、下へ移動する信号を発行する第三選択制御キーと、左へ移動する信号を発行する第四選択制御キーとを有することを特徴とする請求項５に記載の多用途ホット・キー。
【請求項７】
前記実行制御キーが選択制御キー同士の中央位置に位置し、実行選択の信号を発行できることを特徴とする請求項５に記載の多用途ホット・キー。
【考案の詳細な説明】
【技術分野】
【０００１】
本考案は、ノートブック・タイプ・コンピュータに係わり、特に多用途ホット・キーを有するノートブック・タイプ・コンピュータに関するものである。
【背景技術】
【０００２】
この科学技術の時代において、コンピュータ装置は既に現代人の仕事と娯楽の分野の欠けてはならない物品となっている。また、ノートブック・タイプ・コンピュータ装置がデスクトップ・タイプ・コンピュータ装置と比べ、軽薄短小になるばかりではなく、携帯に便利なため、大衆の喜愛を受けており、近年来、ノートブック・タイプ・コンピュータ装置のプラット・ホームには入力用のキーボードが取り付けられているほか、ホット・キーも配置している。なお且つコンピュータ装置の周辺設備の増加とインターネットの発達な趨勢にしたがって、ホット・キーの数もますます多くなり、それらの機能にはインターネットにリンクすることと電子メールを送受信するなどの機能を有し、また、入力キーボードにおけるボタンをホット・キーとなるように設定してもよく、それらのホット・キーとボタンの設定によって快速的に常用のプログラムをスターティングできるように処理されている。
【０００３】
図１に示すのは従来のノートブック・タイプ・コンピュータ装置を示す説明図である。ノートブック・タイプ・コンピュータ装置には、カバー１１０と、プラット・ホーム１２０との二部分を有し、カバー１１０がプラット・ホーム１２０と枢着されており、カバー１１０には表示パネル１１２を有し、プラット・ホーム１２０の内部にマザー・ボード（図示省略）が配置されており、プラット・ホーム１２０の上部に入力キーボード１２２を有し、それが前記のマザー・ボードとカップリング接続されている。ホット・キー・ソフトウェアとユーザーのニーズに合せるために、プラット・ホームにはホット・キー１２４が配置されており、また、入力キーボード１２２におけるいずれのキー同士をホット・キーとなるように設定してもよいことは言うまでもない。この従来技術の欠点はプラット・ホームのスペースと入力キーボード１２２におけるボタンの数に限度があり、多くのホット・キー１２４を配置または設定できず、また、ホット・キー１２４を多く配置する場合、ノートブック・タイプ・コンピュータ装置のプラット・ホーム１２０が乱れた外見を有するようになってしまうことがあり、入力キーボード１２２におけるボタンも系統的に設定されたい快速的選択機能を整えられなくなってしまう。他に、ユーザーが入力キーボード１２２に対しホット・キーを設定する数がますます多くなり、使用上に、容易にあるキーの代表する機能を忘れたり、区分できなくなったりしてしまう場合があり、いくつかのキーを試して押さないと、所要する選択肢を見付けられないので、ホット・キーの元来の機能と意味を失ってしまう場合がある。
【考案の開示】
【考案が解決しようとする課題】
【０００４】
前記のことに鑑みて、本考案は、ノートブック・タイプ・コンピュータ装置におけるプラット・ホームに配置されるホット・キー同士につき、ユーザーが系統的に選択肢を選択でき、且つ表示パネルに表示されるホット・キー・メニューには多くの常用の項目を含有し、操作が容易で、便利的で時間を節約でき、快速的に選択肢を選択可能なシステム整合の目的を図ることができる、ホット・キーを有するノートブック・タイプ・コンピュータを提供することをその主要な解決しようとする課題とする。
【課題を解決するための手段】
【０００５】
前記の課題を解決するために、本考案は、一種の多用途ホット・キーを有するノートブック・タイプ・コンピュータを提供し、そのノートブック・タイプ・コンピュータには、プラット・ホームとカバーとの二部分を有し、前記プラット・ホーム部分が前記カバー部分と枢着されており、前記カバーには表示パネルを有し、前記プラット・ホームの内部にはマザー・ボードが配置されており、前記マザー・ボードには快速選択プログラムがインストールされており、また、前記プラット・ホームには入力キーボードを有し、それがマザー・ボードとカップリング接続されており、前記プラット・ホームには多用途ホット・キーを有し、複数の選択制御キーと実行制御キーとを有し、多用途ホット・キーが前記快速選択プログラムを起動でき、且つ表示パネルに快速選択メニューを表示でき、複数の選択制御キーによって快速選択メニューにおける項目を選択でき、実行制御キーによって快速選択メニューにおける項目を作動させることができ、また、多用途ホット・キーの下方に複数個の指示灯が設けられ、明るさと暗さによってそれらの多用途ホット・キーの操作状態を表示し、他に、多用途ホット・キーが表示パネル明るさ調整プログラムとボリューム調整プログラムと対比色調整プログラムと睡眠プログラムと整合することによってそれぞれ表示パネルの明るさとボリュームの大きさと対比色の強弱とコンピュータシステムを睡眠状態に入らせることなどを制御できる。
【考案を実施するための最良の形態】
【０００６】
本考案の前記の目的と特徴と優れた点をさらに明らかに、且つ分かりやすくさせるために、以下に添付図面を参照しながら、本考案の好適な実施の形態を挙げて詳細で具体的に説明する。
【０００７】
図２に示すのは、本考案の好適な実施の形態の多用途ホット・キーを有するノートブック・タイプ・コンピュータを示す説明図であり、外観から論じる場合、図２と図１との相違点がそのプラット・ホーム１２０の部分にあり、そのプラット・ホーム１２０には上部に入力キーボード１２２を有すると共に、プラット・ホームの内部のマザー・ボード（図２に示されていない）とカップリング接続し、また、プラット・ホームには多用途ホット・キー２２０と複数個の指示灯（図２に図示せず）とが設けられている。マザー・ボードには快速選択プログラムがインストールされており、多用途ホット・キー２２０がその快速選択プログラムを作動させることができ、快速選択プログラムが起動される際に、表示パネル１１２には快速選択メニューが表示され、選択メニュー内に常用の選択肢が表示され、または、ユーザーのニーズに応じて選択肢を変更してもよく、それから多用途ホット・キー２２０によって実行されたい快速選択肢を選択且つ実行し、また、前記複数の指示灯として例えば発光ダイオードを使用し、それらを多用途ホット・キー２２０の下方に配置し、多用途ホット・キー２２０がタッチされたかを表示し、または、コンピュータシステムが実行のコマンドを受信しているかを表示し、指示灯が点灯または点滅する場合、コンピュータシステムがコマンドを実行していると意味し、こうすると、ユーザーがはっきりと目前の多用途ホット・キー２２０の使用状況を了解できる。
【０００８】
図３に示すのは、図２における多用途ホット・キーを示す説明図であり、多用途ホット・キー２２０には、複数個の選択制御キー（Ｓｅｌｅｃｔ）と一つの実行制御キー（Ｅｎｔｅｒ）とを有し、この実施の形態において、４個の選択制御キーを例とし、それらの選択制御キーには上へ移動する信号を発行する第一選択制御キー３２０と、右へ移動する信号を発行する第二選択制御キー３２２と、下へ移動する信号を発行する第三選択制御キー３２４と、左へ移動する信号を発行する第四選択制御キー３２６とを含む。実行制御キー３２８が選択制御キー同士の中央位置に位置し、実行選択の信号を発行でき、もちろん、本考案はこれらの数量のホット・キーとこれらの配置方式とこれらの移動信号に限定されず、多用途ホット・キー２２０によって選択と実行の機能を達成できれば、すべて本考案の技術範囲内に含まれるべきである。
【０００９】
他に、多用途ホット・キー２２０が睡眠プログラムと調整プログラム（例えばスクリーンやボリュームや対比色などの調整プログラムなど）と整合でき、それらによって表示パネルの明るさとボリュームの大きさと対比色の強弱とコンピュータ装置に睡眠状態に入らせることなどを制御できる。コンピュータシステムは特殊の設定によって目前では快速選択プログラムまたは調整プログラムを駆動するかを区分でき、例えば、快速的に実行制御キー３２８を二回押す場合、快速選択プログラムを起動すると意味し、快速選択プログラムが起動されると、多用途ホット・キー２２０におけるすべてのボタンが快速選択メニューにおける選択肢を選択及び実行することに用いられるようになる。
【００１０】
快速選択プログラムが起動されない場合では、即ち、実行制御キー３２８が快速的に二回押されない場合では、例えば一回だけ押される場合、多用途ホット・キー２２０におけるすべてのボタンが調整プログラムと睡眠プログラムを起動する用途に用いられるようになる。例えば、実行制御キー３２８を一回押す場合、睡眠プログラムが起動され、コンピュータシステムを睡眠状態に入らせ、電気消費量を減少し、この時、睡眠状態を意味する指示灯が点灯され、また、例えば第一選択制御キー３２０を一回押す場合、スクリーン明るさ調整プログラムが起動され、スクリーンにスクリーン明るさ調整列が表示され、第二選択制御キー３２２と第四選択制御キー３２６によって調節列における指示標記を移動でき、調整終了後に、第一選択制御キー３２０を押すことによってスクリーンの明るさの調整を終了させることができる。同じように、第二選択制御キー３２２によってボリューム調整プログラムを起動でき、また、第三選択制御キー３２４によって対比色調整プログラムを起動できる。もちろん、多用途ホット・キー２２０と快速選択肢と調整プログラムと睡眠プログラムとの間の合せることがこの実施例における機動方式と操作方式に限るものではなく、調整プログラムと睡眠プログラムとを起動と制御と実行できればすべて本考案の保護しようとする範囲と定義されるべきである。
【産業上の利用可能性】
【００１１】
本考案の実施の形態に掲げた多用途ホット・キーを有するノートブック・タイプ・コンピュータは次のような優れた点を有する。
（１）ソフトウェア、例えば快速選択プログラムと多用途ホット・キーと合せることによって系統的に大量の選択肢を整合でき、入力キーボードのおけるボタンの数量と配置空間が有限になる課題を解消できる。
（２）スクリーンに表示される選択メニューについて、ユーザーが一目で了解でき、且つ系統的に所要する項目をサーチでき、また、多用途ホット・キーの上下左右の移動方式が選択と実行とを便利にすることができる。
（３）多用途ホット・キーが睡眠プログラムとスクリーンとボリュームと対比色との調整プログラムとを結合するので、ノートブック・タイプ・コンピュータのプラット・ホームにおけるボタンの数量を減少でき、このような簡素化の設計がノートブック・タイプ・コンピュータに必要の数だけのボタンを配置すればよいので、造形に変化性を多く導入することができる。
【００１２】
前記に説明したように、本考案について、前記のような優れた実施の形態によって前記のように詳しく説明したが、それらの具体的な実施の形態が本考案の範囲を狭義的に定義するものではなく、いずれの当該分野における技術者が本考案の要旨と範囲の内において種々の変更や修飾などを実行できるが、それらのことも本考案の主張範囲内に納入されるべきことが言うまでもない。
【図面の簡単な説明】
【００１３】
【図１】従来のノートブック・タイプ・コンピュータを示す説明図である。
【図２】本考案の好適な実施の形態の多用途ホット・キーを有するノートブック・タイプ・コンピュータを示す説明図である。
【図３】図２における多用途ホット・キーを示す説明図である。
【符号の説明】
【００１４】
１１０  カバー
１１２  表示パネル
１２０  プラット・ホーム
１２２  入力キーボード
１２４  ホット・キー
２２０  多用途ホット・キー
３２０  第一選択制御キー
３２２  第二選択制御キー
３２４  第三選択制御キー
３２６  第四選択制御キー
３２８  実行制御キー
【図１】
0003101912.tif 000003
【図２】
0003101912.tif 000004
【図３】
0003101912.tif 000005